(57)【要約】      （修正有）【課題】防災または緊急災害時、とくに停電時に有用な小型軽量のインテリジェント機能付き蓄発電システムまたは太陽電池蓄発電一体パネルまたは蓄発電一体装置ステーションを搭載した信号機無停電電源システムを提供する。【解決手段】停電検知器を含む無停電電源装置３、リチウムイオン二次電池単独またはリチウムイオン二次電池とキャパシタコンデンサーの両者を含む蓄電池ユニット１、充放電コントローラー、過充電過放電保護回路、内部温度上昇に拠るシステム破壊防止用温度ヒューズ、サーミスタおよび逆流防止ダイオードを含む充放電制御ユニット４、定電流ダイオード露点変換器、端子レギュレータ、フロート式流量計、パルス幅変調機、出力コントローラーを含むシステム制御ユニット７、およびＤＣ−ＡＣインバータシステムを含む処理制御装置インターフェース部８を一体化した、充放電、蓄電および補助充放電の制御システム機能を併せ有する。【選択図】図２
0003199059.tif 000002
【実用新案登録請求の範囲】
【請求項１】
停電検知器を搭載した無停電電源装置（３）、リチウムイオン二次電池単独またはリチウムイオン二次電池とキャパシタコンデンサーの両者を含む蓄電池ユニット（１）、充放電コントローラー、過充電過放電保護回路、内部温度上昇に拠るシステム破壊防止用温度ヒューズ、サーミスタおよび逆流防止ダイオードを含む充放電制御ユニット（４）、定電流ダイオード（ＣＲＤ＝Ｃｕｒｒｅｎｔ  Ｒｅｇｕｌａｔｉｖｅ  Ｄｉｏｄｅ）露点変換器（ＤＰＳ＝Ｄｕｅ  Ｐｏｉｎｔ  Ｓｅｎｓｏｒ）、端子レギュレータ、フロート式流量計、パルス幅変調機（ＰＷＭ＝Ｐｕｌｓｅ  Ｗｉｄｔｈ  Ｍｏｄｕｌａｔｉｏｎ）、出力コントローラーを含むシステム制御ユニット（７）、およびＤＣ−ＡＣ（Ｄｉｒｅｃｔ  ｃｕｒｒｅｎｔ−Ａｌｔｅｒｎａｔｅ  ｃｕｒｒｅｎｔ）インバータシステムを含む処理制御装置インターフェース部（８）を一体化した、充放電、蓄電および補助充放電の制御システム機能を併せ有するインテリジェント機能付き蓄発電システムまたは太陽電池蓄発電一体パネルを搭載した信号機無停電電源システム。
【請求項２】
蓄電池ユニット（１）のリチウムイオン二次電池は、円筒缶、アルミ角缶、アルミラミネート単一セル、アルミラミネートセル組みモジュールおよびその組み合せからなる電池のいづれかであり、さらにリチウムイオン二次電池またはキャパシタコンデンサーは、充放電保護回路、温度ヒューズおよびサーミスタを有する、１０ｇ／Ｗ（ワット）以下の軽量蓄電池であり、かつ前記蓄電池は、太陽電池パネル最大出力（Ｐｍ）５Ｗから５０Ｗの１枚パネルの表面積寸法が１１０ｃｍ２／Ｗ以下で、外枠厚みが５０ｍｍ以下の小型サイズ太陽電池パネルの枠内に装備された、請求項１に記載のインテリジェント機能付き太陽電池蓄発電一体パネルを搭載した信号機無停電電源システム。
【請求項３】
蓄発電システムの内外部からの熱上昇または外部の気温低下による、劣化や故障を防止するために、日照時での太陽電池パネル温度が高温になっても機器外周温度を５５℃以下に抑制する熱遮断塗料または熱可塑性樹脂封止シートからなる熱遮断層を太陽電池パネル裏面に設けるか、または、温度センサー、５０℃以上の温度検知にて駆動する冷却ファンシステム、５℃以下の温度検知にて駆動する内部温度保持システム、蓄電池ユニットの放電可能電圧と電流を管理した蓄電量比率および太陽電池が発電している電力量を管理する機能を少なくとも１種保有し、ＬＣＤ（液晶）パネル表示を有線或いは無線で行うことが可能な請求項１〜２のいずれかに記載のインテリジェント機能付き太陽電池蓄発電一体パネルを搭載した信号機無停電電源システム。
【請求項４】
５〜５０Ｗ仕様太陽電池パネルを１組み或いは２組に組み合わせる小型軽量型であり、かつ片面厚み５０ｍｍ以下の箱型で完全防水性であり、太陽電池パネル最大出力当りの重量が３００ｇ／Ｗ以下の取付け取外しが容易な小型軽量であり、既設信号機の骨組みパイプに補助金具で強化することによって搭載が可能な請求項１〜３のいずれかに記載のインテリジェント機能付き太陽電池蓄発電一体パネルを搭載した信号機無停電電源システム。
【請求項５】
請求項１〜４のいずれかに記載の太陽電池蓄発電一体パネルを搭載した信号機無停電電源システムに、温度センサー機能に拠る信号表示部氷結防止放熱装置、人感センサー機能に拠るＬＥＤ（Ｌｉｇｈｔｉｎｇ  Ｅｍｉｔｔｉｎｇ  Ｄｉｏｄｅ）照明器具、地震感知センサーに拠る警戒シグナル発信機、防犯災害時監視カメラ、ビデオ、遠隔地通信ユニット、緊急警戒通報システム、モーターや駆動機の短時間駆動システムの少なくとも１種を搭載して所望の機能を付与し、さらにソーラーや風力発電を備えた既存街路灯または電柱緊急電源を取り付けてこれらの発電機能を強化し、さらにまた太陽電池、風力発電または波力発電の自然エネルギー発電或いは燃料セル発電池を取り付けて発電機能を強化した、発電―蓄電または補助充電―放電を制御コントロールする各種電力発電機との蓄発電一体装置ステーションとした信号機無停電電源システム。
【請求項６】
請求項１〜５のいずれかに記載の太陽電池蓄発電一体パネルを搭載した信号機無停電電源システムに、温度センサー機能に拠る信号表示部氷結防止放熱装置、人感センサー機能に拠るＬＥＤ照明器具、地震感知センサーに拠る警戒シグナル発信機、防犯災害時監視カメラ、ビデオ、遠隔地通信ユニット、ＧＰＳ（Ｇｌｏｂａｌ  Ｐｏｓｉｔｉｏｎｉｎｇ  Ｓｙｓｔｅｍ）、緊急警戒通報システム、モーターや駆動機の短時間駆動システムの少なくとも１種を搭載して所望の機能を付与し、さらにソーラーや風力発電を備えた既存街路灯または電柱緊急電源を取り付けてこれらの発電機能を強化し、さらにまた太陽射光が年間を通して最適な角度である仰角を保つために太陽電池蓄発電一体パネルの配置補正が可能な遠隔制御装置を取りつけて太陽光発電の効率性を最適化し、かつ太陽電池、風力発電または波力発電の自然エネルギー発電機あるいは燃料セル発電機を取り付けて発電機能を強化した、発電―蓄電・補助充電―放電を制御コントロールされた各種電力発電機との蓄発電一体装置ステーションとした信号機無停電電源システム。
【考案の詳細な説明】
【技術分野】
【０００１】  本考案は、緊急災害時の停電に伴う信号機の機能を維持させるのに、とくに有用な、蓄発電一体装置ステーションを搭載した信号機無停電電源システムに関する。
【背景技術】
【０００２】  無停電電源部を有する公的情報の電光表示システムは知られている（特許文献１）し、太陽電池とリチウムイオン電池を一体化した薄型街路灯も知られている（非特許文献１）が、蓄発電一体システムまたは太陽電池蓄発電一体パネルを搭載した、とくに小型化された発電一体システムまたは太陽電池蓄発電一体パネルを搭載した無停電電源システムを使用した信号機は存在していない。
【先行技術文献】
【０００３】
【特許文献１】特開平９−１７９５２６公報（特許請求の範囲）
【非特許文献１】パナソニック（株）社製「製品名ＥＶＥＲＬＥＤＳ」
【考案の概要】
【考案が解決しようとする課題】
【０００４】  本考案は、緊急災害時の停電に伴う信号機の機能を維持させるのに、とくに有用な、無停電電源システムを得ることを目的とし、さらに、防災または緊急災害時にとくに有用な小型軽量のインテリジェント機能付き蓄発電システムまたは太陽電池蓄発電一体パネルおよび各種電力発電機との蓄発電一体装置ステーションを搭載した信号機無停電電源システムを得ることを目的とする。
【課題を解決するための手段】
【０００５】  上記目的は、停電検知器を搭載した無停電電源装置（３）、リチウムイオン二次電池単独またはリチウムイオン二次電池とキャパシタコンデンサーの両者を含む蓄電池ユニット（１）、充放電コントローラー、過充電過放電保護回路、内部温度上昇に拠るシステム破壊防止用温度ヒューズ、サーミスタおよび逆流防止ダイオードを含む充放電制御ユニット（４）、定電流ダイオード（ＣＲＤ＝Ｃｕｒｒｅｎｔ  Ｒｅｇｕｌａｔｉｖｅ  Ｄｉｏｄｅ）露点変換器（ＤＰＳ＝Ｄｕｅ  Ｐｏｉｎｔ  Ｓｅｎｓｏｒ）、端子レギュレータ、フロート式流量計、パルス幅変調機（ＰＷＭ＝Ｐｕｌｓｅ  Ｗｉｄｔｈ  Ｍｏｄｕｌａｔｉｏｎ）、出力コントローラーを含むシステム制御ユニット（７）、およびＤＣ−ＡＣ（Ｄｉｒｅｃｔ  ｃｕｒｒｅｎｔ−Ａｌｔｅｒｎａｔｅ  ｃｕｒｒｅｎｔ）インバータシステムを含む処理制御装置インターフェース部（８）を一体化した、充放電、蓄電および補助充放電の制御システム機能を併せ有するインテリジェント機能付き蓄発電システムまたは太陽電池蓄発電一体パネルを搭載した信号機無停電電源システム（請求項１）を提供することによって達成される。【０００６】  ここで、蓄電池ユニット（１）とは主に過充放電制御が付与された蓄電機能を有するユニットであり、充放電制御ユニット（４）とは充電と放電をシステムコントロールするユニットであり、またシステム制御ユニット（７）とは信号機の動作に必要な条件を制御するユニットであり、さらに処理制御装置インターフェース部（８）とは充放電を補助的にシステムコントロールし、さらに蓄電池ユニットとシステム制御ユニットのインターフェースをコントロールするユニットである。さらに、これらの各ユニットには、電圧、電流、電力などをコントロールし、デジタル表示する機能を付与することもできる。
また、内部温度上昇に拠るシステム破壊防止用温度ヒューズとしては、自己あるいはマニュアル復帰可能な温度ヒューズまたは復帰不能な取り換え型温度ヒューズが挙げられる。また、無停電電源装置（３）は、蓄電池ユニット（１）、充放電制御ユニット（４）、システム制御ユニット（７）および処理制御装置インターフェース部（８）のそれぞれと電気的に結合しており、緊急時、とくに停電検知器が作動した停電時には直ちに機能する。【０００７】  また、処理制御装置インターフェース部（８）のＤＣ−ＡＣインバータシステムとしては、ＤＣ−ＡＣ転換インバータなどが例示される。また、処理制御装置インターフェース部（８）には、小型軽量型ＡＣ−ＤＣ（Ａｌｔｅｒｎａｔｅ  ｃｕｒｒｅｎｔ−Ｄｉｒｅｃｔ  ｃｕｒｒｅｎｔ）コンバータまたはこのＡＣ−ＤＣと小型軽量型ＤＣ−ＤＣ（Ｄｉｒｅｃｔ  ｃｕｒｒｅｎｔ−Ｄｉｒｅｃｔ  ｃｕｒｒｅｎｔ）コンバータの両者を内蔵することもできる。【０００８】  さらにまた、充放電コントローラーは過充電や高放電の防止機能を有し、定電流ダイオード（ＣＲＤ＝Ｃｕｒｒｅｎｔ  Ｒｅｇｕｌａｔｉｖｅ  Ｄｉｏｄｅ）は充放電回路コントローラーや電力供給の切り替えスイッチをコントロールする機能を有し、露点変換器（ＤＰＳ＝Ｄｕｅ  Ｐｏｉｎｔ  Ｓｅｎｓｏｒ）は、温湿度センサーに拠る露点演算をコントロールする機能を有し、端子レギュレータは入出力電圧差を安定化させる機能を有し、フロート式流量計は流量測定と流量制御をする機能を有し、パルス幅変調機（ＰＷＭ＝Ｐｕｌｓｅ  Ｗｉｄｔｈ  Ｍｏｄｕｌａｔｉｏｎ）はコンバータからのデジタル値を目標設定されたパルス幅に変調していく機能を有し、出力コントローラーはシリアルやパラレルの入出力をコントロールする機能を有し、過充電過放電保護回路は充放電の一定領域を保ち過充電や過放電による電池への負荷が発生しないようにコントロールする機能を有し、内部温度上昇に拠るシステム破壊防止用温度ヒューズは内部温度が一定範囲を超えるとヒューズが切れる或いは分断することに拠って回路システムの破壊を防止する機能を有し、サーミスタはプログラム設定された範囲の温度範囲をコントロールする機能を有し、寒冷地における回路制御部や蓄電池部の機能低下を防止する。さらに逆流防止ダイオードは内蔵ＬＥＤなどが太陽発電していない夜間などに蓄電された電気を消費するなどを防ぐ為、プログラムされた範囲以外に電流が逆流することを防止する機能を有している。そして、これらは充放電制御システムユニット（２）に搭載（内蔵または外付け）されていて、それぞれ充放電制御に重要な役割を果たしている。またこれらを搭載することにより、本考案の目的とするインテリジェント機能付き蓄発電システムまたは太陽電池蓄発電一体パネルを搭載した信号機無停電電源システムを得ることができる。【０００９】  搭載されるＤＣ−ＡＣインバータは正弦波或いは疑似正弦波のいづれのインバータ機能をもつものでも差支えないが、正弦波の機能を有するものが好適である。
また、信号機使用の光源しては、特に消費電力が少なく、寿命が長いＬＥＤ（Ｌｉｇｈｔ  Ｅｍｉｔｔｉｎｇ  Ｄｉｏｄｅ）信号器具が好適である。【００１０】  上記目的は、蓄電池ユニット（１）のリチウムイオン二次電池は、円筒缶、アルミ角缶、アルミラミネート単一セル、アルミラミネートセル組みモジュールおよびその組み合せモジュールからなる電池のいづれかであり、さらにリチウムイオン二次電池またはキャパシタコンデンサーは、充放電保護回路、温度ヒューズおよびサーミスタを有する、１０ｇ／Ｗ以下の軽量蓄電池であり、かつ前記蓄電池は、太陽電池パネル最大出力（Ｐｍ）５Ｗから５０Ｗの１枚パネルの表面積寸法が１１０ｃｍ２／Ｗ以下で、外枠厚みが５０ｍｍ以下の小型サイズ太陽電池パネル枠内に装備された、請求項１〜２のいずれかに記載のインテリジェント機能付き太陽電池蓄発電一体パネルを搭載した信号機無停電電源システム（請求項２）を提供することによってさらに好適に達成される。
ここで、１０ｇ／Ｗ以下の軽量蓄電池としては、たとえば１２Ｖ１２０Ｗ仕様で蓄電池重量９９０グラム以下の軽量蓄電池、１２Ｖ１８０Ｗ仕様で蓄電池重量１５９０グラム以下の軽量蓄電池などが挙げられる。また、１０ｇ／Ｗ以下の軽量蓄電池の下限値としては４．５ｇ／Ｗ以上が最適であり、さらに好適には６ｇ／Ｗ以上である。
また、１枚パネルの表面積寸法の下限値は７０ｃｍ２／Ｗ以上が最適であり、さらに好適には９０ｃｍ２／Ｗ以上である。【００１１】  上記目的は、蓄発電システムの内外部からの熱上昇、または気温の低下による、劣化や故障を防止するために、日照時での太陽電池パネル温度が高温になっても機器外周温度を５５℃以下に抑制する熱遮断塗料または熱溶融性樹脂封止シートからなる熱遮断層を太陽電池パネル裏面に設け、かつ温度センサー、５０℃以上の温度検知にて駆動する冷却ファンシステム、５℃以下の温度検知にて駆動する内部温度保持システム、蓄電池ユニットの放電可能電圧と電流を管理する蓄電量比率および太陽電池が発電している電力量を管理する機能の少なくとも１種を搭載することによって（請求項３）より好適に達成される。このシステムは、ＬＣＤ（液晶）パネル表示を有線又は無線で行うことが可能である。【００１２】  ここで劣化、故障とは、電源やＩＣ回路部品などの本考案に使用される部品の劣化、故障を意味する。
熱遮断層の熱遮断塗料としては、アクリルシリコン系塗料、アルコキシラン化合物系塗料、セラミック粉末塗料などが挙げられる。また熱可塑性樹脂封止シートとしては、ポリエチレン、ポリプロピレン、ポリスチレン、カルボン酸変性ＰＥ，カルボン酸変性ＰＰ、エチレン−酢酸ビニル共重合体（ＥＶＡ）、ポリフェニレンスルファイト（ＰＰＳ）、ポリテトラフロロエチレン｛テフロン（登録商標）；ＰＴＦＥ｝、その他耐熱性樹脂などからなるシートが挙げられ、不燃性イオン導電材（パイオトレック株式会社製”ＣＰカイザー”使用）を塗料に混合使用したり、シートに同イオン導電材を含浸不燃処理した発砲シートを使用することが好適である。一方、寒冷地で設置されている信号機では太陽電池発電による電流を信号機表示部裏面に設置した放熱シートを貼ることに拠って外気温センサーにより検知した温度が５℃以下になった場合に放熱シートが駆動し、最適温度である１５℃以上を維持することに拠って信号機の動作の安定性を得ることが出来る。特に、節電や省エネ用途してのＬＥＤ信号機は、ＬＥＤの放熱がないことから、信号表示部が氷結して信号が見え難くなることを、放熱シートからの放熱で氷結を回避することが出来るシステムである。【００１３】  上記目的は、５〜５０Ｗ仕様パネルを一枚或いは２枚に組み合わせる小型軽量型であり、かつ片面厚み５０ｍｍ以下の箱型で完全防水機能であり、太陽電池パネル最大出力当りの重量が３００ｇ／Ｗ以下の取付作業が容易な小型軽量システム装置であることから（請求項４）より好適に達成される。
ここで、箱の片面厚みは、さらに好適には４０ｍｍ以下であり、最適には３５ｍｍ以下である。また、太陽電池パネル最大出力当りの重量は、さらに好適には２００ｇ／Ｗ以下であり、最適には１５０ｇ／Ｗ以下である。太陽電池パネル最大出力当りの重量の下限値は、５０ｇ／Ｗ以上が好適であり、さらに好適には８０ｇ／Ｗ以上である。たとえば、太陽電池パネルの縦横寸法４０ｍｍ以下の２枚組みで１２Ｖ１２０Ｗの場合は、総重量が５ｋｇ以下が好適である。【００１４】  上記目的は、請求項１〜４いずれかに記載の太陽電池蓄発電一体パネルを搭載した信号機無停電電源システムに、温度センサー機能に拠る信号表示部氷結防止放熱装置、人感センサー機能に拠るＬＥＤ照明器具、地震感知センサーに拠る警戒シグナル発信機、防犯災害時監視カメラやビデオ、ＧＰＳ、遠隔地通信ユニット、緊急警戒通報システム、モーターや駆動機の短時間駆動システムの少なくとも１種を搭載して所望の機能を付与し、さらにソーラーや風力発電を備えた既存街路灯または電柱緊急電源を取り付けてこれらの発電機能を強化し、さらにまた太陽電池、風力発電または波力発電の自然エネルギー発電機または燃料セル電池を取り付けて発電機能を強化した、発電―蓄電または補助充電―放電を制御コントロールする各種電力発電機との蓄発電一体装置ステーションを搭載した信号機無停電電源システム（請求項５）を提供することによって、より好適に達成される。【００１５】  上記目的は、請求項１〜５のいずれかに記載の太陽電池蓄発電一体パネルを搭載した信号機無停電電源システムに、温度センサー機能に拠る信号表示部氷結防止放熱装置、人感センサー機能に拠るＬＥＤ照明器具、地震感知センサーに拠る警戒シグナル発信機、防犯災害時監視カメラ、ビデオ、ＧＰＳ（Ｇｌｏｂａｌ  Ｐｏｓｉｔｉｏｎｉｎｇ  Ｓｙｓｔｅｍ）、遠隔地通信ユニット、緊急警戒通報システム、モーターや駆動機の短時間駆動システムの少なくとも１種を搭載して所望の機能を付与し、さらにまたソーラーや風力発電を備えた既存街路灯または電柱
緊急電源を取り付けてこれらの発電機能を強化し、さらにまた太陽射光が年間を通して最適な角度である仰角を保つために太陽電池蓄発電一体パネルの配置補正が可能な遠隔制御装置を取りつけて太陽光発電の効率性を最適化し、かつ太陽電池や風力発電の自然エネルギー発電機あるいは燃料セル電池を取り付けて発電機能を強化した、発電―蓄電・補助充電―放電を制御コントロールされた各種電力発電機との蓄発電一体装置ステーションを搭載した信号機無停電電源システム（請求項６）を提供することによってより好適に達成される。【００１６】  また、上記目的は、請求項１〜６のいずれかに記載のインテリジェント機能付き蓄発電システムに、電力発電機として、既存発電機の蓄電ユニットを搭載した、環境適合型の各種電力発電機との蓄発電一体装置ステーションを搭載した信号機無停電電源システムを提供することにより好適に達成される。蓄発電ユニットとして、鉛蓄電池と比較して同容量で重量２分の１以下の軽量で容積サイズが５０％以上削減可能な小型蓄発電ユニットを使用することにより、蓄電池の持ち運びや設置条件が制限される信号機部直付けして設置することが可能となる。
【考案の効果】
【００１７】    本考案によれば、防災または緊急災害時の停電時に、充放電、蓄電および補助充放電の制御システムを併せ有するインテリジェント機能付き蓄発電システムまたは太陽電池蓄発電一体パネルを搭載した信号機無停電電源システムを得ることができる。これに拠って、緊急災害時に信号機機能を保持し、交通事故の回避や歩行者の安全を確保することができる。
【図面の簡単な説明】
【００１８】
【図１】  本考案のインテリジェント機能付き蓄発電システムまたは太陽電池蓄発電一体型システムを搭載した信号機無停電電源システムの平面図
【００１９】
【図２】  図１の裏面内部図
【００２０】
【図３】  図１の側面図
【００２１】
【図４】  図１の底面図（温湿度センサー、駆動表示ランプ、動作データ集積ＵＳＢポート、メインスイッチ）
【００２２】
【図５】  図１の信号機無停電電源システムの使用図（写真））
【００２３】
【図６】  信号機無停電電源システム装置の取付治具
【考案を実施するための形態】
【００２４】  本考案は、上記したとおり、蓄電池ユニット（１）、充放電制御ユニット（４）、システム制御ユニット（７）、処理制御装置インターフェース部（８）を一体化したシステム機能を保有して、補助充放電制御システム機能を併せ有し、かつ軽量で小型化されたインテリジェント機能付き蓄発電システムまたは太陽電池蓄発電一体パネルを搭載した信号機無停電電源システムであることが最大の特徴である。このように軽量で小型化するためには、信号機無停電電源システムを軽量で小型化することが最適である。そして、号機無停電電源システムを軽量で小型化するためには、軽量でコンパクトな二次電池を搭載することが好適である。この二次電池は、軽量でコンパクトなリチウムイオン二次電池（ＬＩＢ＝Ｌｉｔｈｉｕｍ  Ｉｏｎ  Ｂａｔｔｅｒｙ）が最適であり、特に軽量で安全性の高いラミネートセル型過充放電防止回路および温度ヒューズ搭載ＬＩＢモジュール（パイオトレック株式会社製の「ＰｅｌＬｉｃｌｅ‐ＬＩＢ  モジュール」を使用）が最適である。
本考案を以下の実施形態に基づいて説明する。
【００２５】実施形態１（システムまたはパネルの形態）
日照時間や太陽光強度不足による発電量が不足する場合には、信号機に使用されている商用電源から電流を取り込む。さらに、太陽電池による発電力に依存するだけでなく、風力発電機または燃料セル発電機などの自然エネルギー発電機との組み合わせにより発電量を確保することができる。
【００２６】実施形態２（システムまたはパネルの形態）
地震、台風、水害、事故等による災害が発生した場合、信号機の緊急非常無停電電源として利用する。本考案のシステムまたはパネルは、軽量で容積も小さいので小型電源として極めて有用である。因みに、ＬＥＤ使用の信号機出力が１２Ｗｈの場合は、搭載する無停電電源の蓄電量によるが最低蓄電量を１２０Ｗｈにて算出した場合でも８時間以上の連続稼働が可能である。また、天災発生の緊急告知表示板や警報サイレンやシグナルなどの稼働電源、緊急対策の通信機器や画像通信機の電源などに使用することが出来る。
【００２７】実施形態３（システムまたはパネルの形態）
本考案の信号機無停電電源システムまたはパネルは完全防水形態であることが好適である。
【産業上の利用可能性】
【００２８】  本考案の太陽電池蓄発電一体パネル或いは蓄発電ステーションを搭載したインテリジェント機能付き信号機無停電電源システムは、防災または緊急災害時にとくに有用であり、夜間や雨天・降雪における信号機機能を保持する電源として地域社会の安全と安心を確保することが出来る。
【符号の説明】
【００２９】  １  蓄電池ユニット
（リチウムイオン二次電池、またはこれとキャパシタコンデンサー併用）
２  ＡＣインバーター
３  無停電電源装置
４  充放電制御用基盤
５  ソーラー電源
６  デジタル電力発電量ＬＣＤ表示機能
７  システム制御部
８  処理制御装置インターフェース部
９  回路部▲１▼と▲２▼（交通信号機▲１▼と横断信号機▲２▼のコントロール回路部）
１０  データ記憶装置
１１  温湿度センサー
１２  稼働表示ランプ
１３  無停電電源システムの裏蓋
１４  データ集積ＵＳＢポート
１５  メインスイッチ
１６  防水カバー蓋
１７  結線コード連結部
【図１】
0003199059.tif 000003
【図２】
0003199059.tif 000004
【図３】
0003199059.tif 000005
【図４】
0003199059.tif 000006
【図５】
0003199059.tif 000007
【図６】
0003199059.tif 000008